(57)【要約】【課題】簡易な構成で現像部材の表面に残留する現像剤を剥離する。【解決手段】現像ロール６８は、最後に供給された現像剤をスリーブ１０２の回転と低磁力部１１０とによって剥離する。ただし、図６（Ｂ）にも示すように、現像ロール６８の磁極（ピックオフ極）１０８周辺には、現像剤が残留している。制御部６２は、図６（Ｃ）にも示すように、掻き取り部材３０２を低磁力部１１０の近傍で現像ロール６８に接触させた後、磁石１００を例えば約１回転させることにより、スリーブ１０２に残留する現像剤を掻き取り部材３０２によって掻き取らせる。ただし、掻き取り部材３０２が掻き取った現像剤は、磁石１００の磁力によって掻き取り部材３０２に付着したままである。制御部６２は、図６（Ｄ）にも示すように、磁石１００をさらに回転させることにより、掻き取り部材３０２から現像剤を落下させる。【選択図】図６
2010102174.tif 000002
【特許請求の範囲】
【請求項１】
像保持体と、
この像保持体に現像剤を供給する現像部材と、
前記現像部材を予め定められた方向に回転駆動させる駆動手段と、
前記現像部材に対して接離自在に設けられた掻取手段と、
異なる色の現像剤を前記現像部材に供給する複数の現像剤供給部と、
前記駆動手段、前記掻取手段及び前記複数の現像剤供給部を制御する制御手段と、
を有し、
前記現像部材は、
磁石と、
この磁石を内部に収容するスリーブと、
を備え、
前記磁石は、
Ｎ極及びＳ極を含む複数の磁極からなり、同極の磁極が連続する同極部
を有し、
前記制御手段は、
前記現像部材の表面に残留する現像剤を除去する場合、前記掻取手段を前記現像部材に接触させるとともに、前記磁石を回転駆動させるよう制御する
画像形成装置。
【請求項２】
前記現像部材の表面に残留する現像剤を除去する場合、前記制御手段は、
前記磁石が少なくとも２回転以上するよう制御する
請求項１記載の画像形成装置。
【請求項３】
前記現像部材の表面に残留する現像剤を除去する場合、前記制御手段は、
前記掻取手段が掻き取る現像剤と同じ色の現像剤を供給した前記現像剤供給部が掻き取られた現像剤を受け入れるように、前記複数の現像剤供給部を制御する
請求項１又は２記載の画像形成装置。
【請求項４】
前記複数の現像剤供給部が前記現像部材に現像剤を供給することを遮断する遮断手段をさらに有し、
前記制御手段は、
前記遮断手段が現像剤の供給を遮断するか否かを制御する
請求項１乃至３いずれか記載の画像形成装置。
【請求項５】
前記制御手段は、
前記複数の現像剤供給部と前記現像部材との距離を制御することにより、前記遮断手段が現像剤の供給を遮断するか否かを制御する
請求項４記載の画像形成装置。
【請求項６】
前記制御手段は、
前記複数の現像剤供給部のいずれかと前記現像部材との間を遮る遮断部材を制御することにより、前記複数の現像剤供給部が前記現像部材に現像剤を供給することを遮断する
請求項１乃至３いずれか記載の画像形成装置。
【発明の詳細な説明】
【技術分野】
【０００１】
本発明は、画像形成装置に関するものである。
【背景技術】
【０００２】
特許文献１は、現像ローラの両端部に、現像スリーブ表面に当接するスクレーパ部材を備え、そのスクレーパ部材をマグネットロールの複数の磁極の中で一番磁力の低い部分で当接させる現像装置を開示する。また、特許文献２は、スリーブ上の現像剤剥ぎ取り方式として、剤搬送案内剥離板を設け、剥離板直下に第２のマグネットロールを配置したマグロール回転系現像装置（スリーブ固定）を開示する。また、特許文献３は、現像剤除去ロールの回転方向における現像剤の離脱位置から磁気吸着位置に達するまでの範囲内に、当該現像剤除去ロールの長手方向における周面一部と接触または近接する空間遮蔽部材を設けた現像装置を開示する。また、特許文献４は、現像剤担持体上の現像処理済みの現像剤を剥ぎ取り手段により剥ぎ取り、剥ぎ取られた現像剤を回収して現像剤供給部の非画像形成領域の下流部に搬送する現像装置を開示する。
【０００３】
【特許文献１】特開平１１−１０９７５０号公報
【特許文献２】特開２００４−２１９８１９号公報
【特許文献３】特開２００３−１６７４３５号公報
【特許文献４】特開２００２−１４８９２１号公報
【発明の開示】
【発明が解決しようとする課題】
【０００４】
本発明は、簡易な構成で現像部材の表面に残留する現像剤を剥離することができる画像形成装置を提供することを目的とする。
【課題を解決するための手段】
【０００５】
上記目的を達成するため、請求項１に係る本発明は、像保持体と、この像保持体に現像剤を供給する現像部材と、前記現像部材を予め定められた方向に回転駆動させる駆動手段と、前記現像部材に対して接離自在に設けられた掻取手段と、異なる色の現像剤を前記現像部材に供給する複数の現像剤供給部と、前記駆動手段、前記掻取手段及び前記複数の現像剤供給部を制御する制御手段と、を有し、前記現像部材は、磁石と、この磁石を内部に収容するスリーブと、を備え、前記磁石は、Ｎ極及びＳ極を含む複数の磁極からなり、同極の磁極が連続する同極部を有し、前記制御手段は、前記現像部材の表面に残留する現像剤を除去する場合、前記掻取手段を前記現像部材に接触させるとともに、前記磁石を回転駆動させるよう制御する画像形成装置である。
【０００６】
請求項２に係る本発明は、前記現像部材の表面に残留する現像剤を除去する場合、前記制御手段は、前記磁石が少なくとも２回転以上するよう制御する請求項１記載の画像形成装置である。
【０００７】
請求項３に係る本発明は、前記現像部材の表面に残留する現像剤を除去する場合、前記制御手段は、前記掻取手段が掻き取る現像剤と同じ色の現像剤を供給した前記現像剤供給部が掻き取られた現像剤を受け入れるように、前記複数の現像剤供給部を制御する請求項１又は２記載の画像形成装置である。
【０００８】
請求項４に係る本発明は、前記複数の現像剤供給部が前記現像部材に現像剤を供給することを遮断する遮断手段をさらに有し、前記制御手段は、前記遮断手段が現像剤の供給を遮断するか否かを制御する請求項１乃至３いずれか記載の画像形成装置である。
【０００９】
請求項５に係る本発明は、前記制御手段は、前記複数の現像剤供給部と前記現像部材との距離を制御することにより、前記遮断手段が現像剤の供給を遮断するか否かを制御する請求項４記載の画像形成装置である。
【００１０】
請求項６に係る本発明は、前記制御手段は、前記複数の現像剤供給部のいずれかと前記現像部材との間を遮る遮断部材を制御することにより、前記複数の現像剤供給部が前記現像部材に現像剤を供給することを遮断する請求項１乃至３いずれか記載の画像形成装置である。
【発明の効果】
【００１１】
請求項１に係る本発明によれば、本構成を有しない場合に比較して、簡易な構成で現像部材の表面に残留する現像剤を剥離することができる。
【００１２】
請求項２に係る本発明によれば、請求項１に係る本発明の効果に加えて、本構成を有しない場合に比較して、短時間で確実に現像剤を剥離することができる。
【００１３】
請求項３に係る本発明によれば、請求項１又は２に係る本発明の効果に加えて、現像剤を再利用することができる。
【００１４】
請求項４に係る本発明によれば、請求項１乃至３いずれかに係る本発明の効果に加えて、本構成を有していない場合に比較して、現像剤を効率的に剥離することができる。
【００１５】
請求項５に係る本発明によれば、請求項４に係る本発明の効果に加えて、本構成を有していない場合に比較して、簡易な構成で現像剤を効率的に剥離することができる。
【００１６】
請求項６に係る本発明によれば、請求項１乃至３いずれかに係る本発明の効果に加えて、本構成を有していない場合に比較して、現像剤を確実且つ効率的に剥離することができる。
【発明を実施するための最良の形態】
【００１７】
次に本発明の実施形態を図面に基づいて説明する。
図１において、本発明の実施形態に係る画像形成装置１０の概要が示されている。画像形成装置１０は、画像形成装置本体１２を有し、この画像形成装置本体１２の背面側（図１において右側）に例えば１段の給紙ユニット１４が配置されている。
【００１８】
給紙ユニット１４は、用紙が収容される給紙カセット１６を有する。給紙カセット１６の上部には、給紙カセット１６から用紙を取り出す取り出しロール１８が配置され、この取り出しロール１８の前方に供給ロール２０及び捌きロール２２が配置されている。
【００１９】
供給ロール２０は、図示しない駆動部によって駆動され、用紙を後述する搬送路２４に向けて供給するように回転する。捌きロール２２は、供給ロール２０に対して圧接され、供給ロール２０の回転に応じて回転可能にされており、供給ロール２０とともに用紙を１枚ずつ後述する搬送路２４に向けて供給するように回転する。
【００２０】
搬送路２４は、供給ロール２０から排出口２６までの用紙通路であり、この搬送路２４は、画像形成装置本体１２の上部にあって、給紙ユニット１４から排出口２６まで略水平に形成されている。この搬送路２４の定着装置２８の上流側に後述する二次転写ロール６０と二次転写バックアップロール５４とが配置され、二次転写ロール６０と二次転写バックアップロール５４の上流側にレジストロール３０が配置されている。また、搬送路２４の排出口２６の近傍には排出ロール３２が配置されている。
【００２１】
したがって、給紙ユニット１４の給紙カセット１６から取り出しロール１８により取り出された用紙は、供給ロール２０及び捌きロール２２により捌かれて最上部の用紙のみ搬送路２４に導かれ、レジストロール３０により一時停止され、タイミングをとって後述する二次転写ロール６０と二次転写バックアップロール５４との間を通って現像剤像が転写され、この転写された現像剤像が定着装置２８により定着され、排出ロール３２により排出口２６から排出される。
【００２２】
画像形成装置本体１２には、例えば略中央部に現像装置３４が配置されている。現像装置３４は、イエロー（Ｙｅｌｌｏｗ）、マゼンタ（Ｍａｇｅｎｔａ）、シアン（Ｃｙａｎ）及び黒（Ｂｌａｃｋ）の４色の現像剤により、後述する像保持体３６が保持する静電潜像を可視化する。
【００２３】
現像装置３４には、例えば感光体からなる像保持体３６が画像形成装置１０の正面側上方から当接するように配置されている。像保持体３６は、時計回り（図１において右回り）に回転するようにされている。像保持体３６の背面側には、該像保持体３６を一様帯電する例えば帯電ロールからなる帯電装置３８が設けられている。つまり像保持体３６には、現像バイアスがかけられている。また、像保持体３６には、該像保持体３６の回転方向の帯電装置３８よりも上流側に像保持体用クリーナ４０が当接している。像保持体用クリーナ４０は、例えば一次転写後に像保持体３６に残留する現像剤を掻き取る。
【００２４】
現像装置３４の上方には、帯電装置３８により帯電された像保持体３６に、レーザ光などの光線により潜像を書き込む露光装置４２が配置されている。また、像保持体３６の正面側には、現像装置３４によって可視化された現像剤像を一次転写位置で一次転写され、後述する二次転写位置まで搬送する中間転写装置４４が設けられている。
【００２５】
中間転写装置４４は、例えば中間転写ベルトなどの中間転写体４６、一次転写ロール４８、支持ロール５０，５２、二次転写バックアップロール５４、テンションロール５６，５８から構成される。中間転写体４６は、一次転写ロール４８の上流に配置された支持ロール５０と、一次転写ロール４８の下流に配置された支持ロール５２との間で像保持体３６にラップ状に当接する一次転写部を有し、像保持体３６に所定の範囲だけ巻きついて、像保持体３６の回転に従って回転する。テンションロール５６，５８は、中間転写体４６に所定の張力を与えている。そして、中間転写体４６は、一次転写ロール４８によって像保持体３６上の現像剤像を例えばイエロー、マゼンタ、シアン、黒の順に重ねて一次転写され、この一次転写された現像剤像を後述する二次転写ロール６０に向けて搬送する。
【００２６】
中間転写装置４４の二次転写バックアップロール５４には、搬送路２４を挟んで二次転写ロール６０が配置されている。つまり、二次転写ロール６０と二次転写バックアップロール５４との間が二次転写位置となっており、二次転写ロール６０は、二次転写バックアップロール５４の補助により、中間転写体４６に一次転写された現像剤像を二次転写位置で用紙に二次転写する。ここで、二次転写ロール６０は、中間転写体４６が３回転する間、すなわちイエロー、マゼンタ、シアンの３色の現像剤像を搬送する間は中間転写体４６から離間しており、黒の現像剤像が転写されると中間転写体４６に当接するようにされている。なお、二次転写ロール６０と二次転写バックアップロール５４との間には、所定の電位差が生じるようにされており、例えば二次転写ロール６０を高電圧にした場合には、二次転写バックアップロール５４はグランド（ＧＮＤ）などに接続される。
【００２７】
搬送路２４の二次転写位置の下流には、定着装置２８が配置されている。定着装置２８は、加熱ロールと加圧ロールとを有し、二次転写ロール６０及び二次転写バックアップロール５４により用紙に二次転写された現像剤像を用紙に定着させ、排出ロール３２に向けて搬送する。
【００２８】
また、画像形成装置１０の内部には、画像形成装置１０を構成する各部を制御する制御部６２が設けられている。
【００２９】
次に、現像装置３４について説明する。
図２は、現像装置３４を示す側面図である。図２に示すように、現像装置３４は、回転体６６、現像ロール６８、層厚規制部材７０、現像ロール収容壁７４及び現像剤供給部８０ａ〜８０ｄを有する。
以下、現像剤供給部８０ａ〜８０ｄなど複数ある構成部分のいずれかを特定せずに示す場合には、単に「現像剤供給部８０」などと略記することがある。
【００３０】
回転体６６は、イエロー（Ｙｅｌｌｏｗ）、マゼンタ（Ｍａｇｅｎｔａ）、シアン（Ｃｙａｎ）及び黒（Ｂｌａｃｋ）の現像剤を現像ロール６８に順次に供給する現像剤供給部８０ａ〜８０ｄが着脱自在に設けられており、回転軸８２を中心として駆動部８３の駆動力により例えば反時計回り（図２において左回り）に回転させられて、現像剤供給部８０ａ〜８０ｄが現像ロール６８に対向する位置（現像剤供給位置）へ移動するようにされている。
なお、現像剤供給部８０ａ〜８０ｄが収容している現像剤は、例えば非磁性のトナー及び磁性のキャリアを有する２成分現像剤である。
【００３１】
現像剤供給部８０は、供給器本体９４を有し、この供給器本体９４内に第１の攪拌搬送部材９６及び第２の攪拌搬送部材９８が設けられている。第１の攪拌搬送部材９６は、現像剤を攪拌しつつ第２の攪拌搬送部材９８へ向けて搬送する。第２の攪拌搬送部材９８は、現像剤を攪拌するとともに現像ロール６８に供給する。また、現像剤供給部８０には、現像剤の流出を防止するための開閉部材３００と、現像ロール６８に残留する現像剤を現像ロール６８に接触することによって掻き取る掻き取り部材３０２とが設けられている。掻き取り部材３０２は、例えば非磁性体からなる。
【００３２】
現像ロール６８と掻き取り部材３０２とが接触する位置の近傍（回転体６６の回転方向上流側）には、掻き取り部材３０２が現像ロール６８を傷つけないように、現像ロール６８に対して掻き取り部材３０２が所定の方向から接触するよう掻き取り部材３０２を案内する案内部材３０３が設けられている。
【００３３】
図３は、現像ロール６８が像保持体３６に現像剤を供給する場合（現像時）における現像ロール６８及びその周辺を示す拡大図である。
現像ロール６８は、軸方向に延びてＮ極及びＳ極（磁極部）を外面に複数備えた略円柱状の磁石１００と、この磁石１００を内部に収容して例えば反時計回り（図３において左回り）に回転し、該磁石１００の磁力に応じて現像剤を周方向に搬送する円筒状のスリーブ１０２とを有する。磁石１００は、像保持体３６に対向して配置されて現像ロール６８上の現像剤を像保持体３６へ供給する磁極１０４（現像極：主極）と、現像剤収容器８０側上部に配置されて現像剤収容器８０から現像剤を引き付ける磁極１０５（引付極：ピックアップ極）と、磁極１０５と磁極１０４との間で現像剤を搬送するための磁極（搬送極：トリミング極）１０６と、現像剤収容器８０側下部に配置される磁極１０８（剥離極：ピックオフ極）と、磁極１０４と磁極１０８との間で現像剤を搬送するための磁極（搬送極）１０９と、軸方向に延びて略磁力を備えない低磁力部（無磁力部：ダミー極）１１０などが、像保持体３６に現像剤を供給する場合に図３に示すように位置させている。ここで、低磁力部１１０は、例えば隣接する２つのＳ極の間に形成（同極部に形成）されており、第２の攪拌搬送部材９８に略対向するように配置されている。
磁石１００は、例えば磁極１０４，１０５，１０８がＳ極にされ、磁極１０６，１０９がＮ極にされて、低磁力部１１０の磁力が略０にされているが、磁極１０４，１０５，１０８がＮ極にされ、磁極１０６，１０９がＳ極にされて、低磁力部１１０の磁力が略０にされてもよい。
なお、磁石１００は、現像ロール６８が像保持体３６に現像剤を供給しない場合（非現像時、現像剤回収時など）には、スリーブ１０２の回転方向と同じ方向に回転可能にされている（図４を用いて後述）。
また、現像ロール６８は、像保持体３６に対向する部分が露出するように開口された現像ロール収容壁７４内に収容されている。
【００３４】
掻き取り部材３０２は、表面が現像剤の付着を防止する被覆層により被覆（表面処理）されている。例えば、掻き取り部材３０２の被覆層は、テトラへデラルアモルファスカーボン膜（ｔａ−Ｃ膜）、ダイヤモンドライクカーボン膜（ＤＬＣ膜）、立方晶窒化ホウ素膜（Ｃ−ＢＮ膜）、炭化珪素膜（ＳｉＣ膜）、窒化クロム膜（ＣｒＮ膜）、タングステンカーボン膜（Ｗ−Ｃ膜）又はその他の金属蒸着膜（Ｔｉ等）などからなる。
【００３５】
層厚規制部材７０は、現像ロール６８の表面に付着した（現像ロール６８が保持した）現像剤の層厚を規制する。
【００３６】
現像剤収容器８０は、現像装置本体６６の回転に応じて現像ロール６８に対向する現像剤供給位置に移動すると、開閉部材３００が変位することにより、上部に位置する開口部が開かれるようにされている。
また、現像剤収容器８０が現像剤供給位置に移動した場合に、現像剤の上面までの距離が、現像剤を引き付けるように引付極の磁力が作用する距離以下になり、現像剤収容器８０内の現像剤が引付極の磁力によってスリーブ１０２の表面に付着する。つまり、現像剤収容器８０に収容された現像剤が現像ロール６８に供給される。
【００３７】
現像ロール６８に供給された現像剤は、上述した磁石１００の現像極の作用によって像保持体３６へ供給される。また、スリーブ１０２の表面に残留する現像剤は、上述した磁石１００の剥離極の作用（図５等を用いて詳述）によって剥離され、現像剤収容器８０に回収される。このように、現像剤供給部８０は、現像剤を供給した後に現像ロール６８に残留する現像剤を回収して再利用できるようにされている。
【００３８】
図４は、磁石１００及びスリーブ１０２をそれぞれ独立に回転駆動する回転駆動部１１２，１１４の構成を示す模式図である。
図４に示すように、回転駆動部１１２は、モータ１１６及びギア１１８から構成される。ギア１１８は、モータ１１６の駆動力によって回転し、スリーブ１０２の端部に設けられたギア１２０に駆動力を伝達することにより、スリーブ１０２を予め定められた方向に回転させる。回転駆動部１１２は、制御部６２の制御に応じて、現像ロール６８が像保持体３６に現像剤を供給する場合（現像時）にスリーブ１０２を回転させる。
【００３９】
回転駆動部１１４は、モータ１２２及びギア１２４から構成され、現像ロール６８の反回転駆動部１１２側に設けられている。ギア１２４は、モータ１２２の駆動力によって回転し、磁石１００の端部に設けられたギア１２６に駆動力を伝達することにより、磁石１００をスリーブ１０２の回転方向と同じ方向に回転させる。回転駆動部１１４は、制御部６２の制御に応じて、現像ロール６８が像保持体３６に現像剤を供給しない場合（非現像時、現像剤回収時など）に磁石１００を回転させる。なお、回転駆動部１１４が磁石１００を回転させる場合に、回転駆動部１１２もスリーブ１０２を回転させるようにされてもよい。
【００４０】
次に、現像装置３４が１色の現像剤像を可視化した後に、現像装置３４が現像ロール６８の表面に残留する現像剤を剥離する動作について説明する。
図５は、現像装置３４が現像ロール６８の表面に残留する現像剤を剥離する動作（Ｓ１０）を示すフローチャートである。
図６は、図５に示した動作（Ｓ１０）時における現像ロール６８及びその周辺を示す拡大図である。
図５に示すように、ステップ１００（Ｓ１００）において、制御部６２は、図６（Ａ）にも示すように、例えば回転体６６を回転させることによって掻き取り部材３０２を磁極１０５（引付極）の下方へ移動させることにより、現像ロール６８への現像剤の供給を遮断する。なお、制御部６２は、磁極１０５の磁力が現像剤収容器８０内の現像剤に作用しない位置まで現像剤収容器８０を移動させることにより、現像ロール６８への現像剤の供給を遮断するようにしてもよい。
【００４１】
ステップ１０２（Ｓ１０２）において、現像ロール６８は、最後に供給された現像剤をスリーブ１０２の回転と低磁力部１１０とによって剥離する。ただし、図６（Ｂ）にも示すように、磁極（ピックオフ極）１０８周辺には、現像剤が残留している。
【００４２】
ステップ１０４（Ｓ１０４）において、制御部６２は、図６（Ｃ）にも示すように、掻き取り部材３０２を低磁力部１１０の近傍で現像ロール６８に接触させた後、磁石１００を例えば約１回転させる（磁極１０５が到達した時点で）ことにより、Ｓ１０２の処理後に残留する残留現像剤を掻き取り部材３０２によって掻き取らせる（掻き取り部材３０２上に載せる）。つまり、磁石１００の回転と掻き取り部材３０２により残留現像剤を剥離する。ただし、掻き取り部材３０２が掻き取った現像剤は、磁石１００の磁力によって掻き取り部材３０２に付着したままである。
【００４３】
ステップ１０６（Ｓ１０６）において、制御部６２は、図６（Ｄ）にも示すように、磁石１００をさらに回転（低磁力部１１０が通過した後に約１回転）させることにより、掻き取り部材３０２から現像剤を落下させる。つまり、掻き取り部材３０２が掻き取った残留現像剤は、低磁力部１１０が近づくことにより磁石１００からの磁力を受けなくなり、落下する。
ここで、低磁力部１１０は、図６（Ｄ）に示したように、図６（Ａ）に示した低磁力部１１０の位置（図３に示した現像時の低磁力部１１０の位置）と同じ位置に戻されている。
【００４４】
次に本発明の実施形態の作用について説明する。
画像形成信号が送られると、像保持体３６が帯電装置３８により一様に帯電され、この帯電された像保持体３６には、画像信号に基づいて露光装置４２から光線が出射される。露光装置４２からの光線は、像保持体３６の表面を露光し、静電潜像が形成される。
【００４５】
像保持体３６に保持された静電潜像は、現像剤の色ごとに現像装置３４により現像され、中間転写体４６に一次転写される。そして、中間転写体４６上で各色の現像剤像が重ね合わされて、カラー画像が形成される。
ここで、現像ロール６８には、現像剤供給部８０ａ〜８０ｄからイエロー、マゼンタ、シアン及び黒の現像剤がそれぞれ供給される。そして、現像ロール６８に過剰に供給された現像剤は、現像ロール６８に次の色の現像剤が供給される前に同じ色の現像剤供給部８０に回収される。一次転写において、像保持体３６に残留する廃現像剤は、像保持体用クリーナ４０によって掻き取られ、回収される。
【００４６】
一方、給紙信号等により、給紙カセット１６に収容された用紙は、取り出しロール１８により取り出され、供給ロール２０及び捌きロール２２により捌かれて最上部の用紙のみ搬送路２４に導かれ、レジストロール３０により一次停止され、タイミングをとって二次転写ロール６０と二次転写バックアップロール５４との間に導かれる。用紙が二次転写ロール６０と二次転写バックアップロール５４との間に導かれると、中間転写体４６に一次転写されている現像剤像が二次転写ロール６０と二次転写バックアップロール５４とによって用紙に二次転写される。
【００４７】
現像剤像を転写された用紙は、定着装置２８に導かれ、加熱ロールと加圧ロールとによって現像剤像を定着される。現像剤像が定着した用紙は、排出ロール３２により排出口２６から排出される。
【図面の簡単な説明】
【００４８】
【図１】本発明の実施形態に係る画像形成装置の概要を示す側面図である。
【図２】現像装置を示す側面図である。
【図３】現像ロールが像保持体に現像剤を供給する場合（現像時）における現像ロール及びその周辺を示す拡大図である。
【図４】磁石及びスリーブをそれぞれ独立に回転駆動する回転駆動部の構成を示す模式図である。
【図５】現像装置が現像ロールの表面に残留する現像剤を剥離する動作（Ｓ１０）を示すフローチャートである。
【図６】図５に示した動作（Ｓ１０）時における現像ロール及びその周辺を示す拡大図である。
【符号の説明】
【００４９】
１０    画像形成装置
３４    現像装置
３６    像保持体
６２    制御部
６６    回転体
６８    現像ロール
７０    層厚規制部材
８０ａ〜８０ｄ    現像剤供給部
８２    回転軸
８３    駆動部
９４    収容器本体
９６ａ〜９６ｄ    第１の攪拌搬送部材
９８ａ〜９８ｄ    第２の攪拌搬送部材
１００    磁石
１０２    スリーブ
１０４    磁極（現像極）
１０５    磁極（引付極）
１０６    磁極（搬送極）
１０８    磁極（剥離極）
１０９    磁極（搬送極）
１１０    低磁力部（無磁力部）
１１２，１１４    回転駆動部
１２０，１２６    ギア
３００ａ〜３００ｄ    開閉部材
３０２ａ〜３０２ｄ    掻き取り部材
３０３ａ〜３０３ｄ    案内部材
【図１】
2010102174.tif 000003
【図２】
2010102174.tif 000004
【図３】
2010102174.tif 000005
【図４】
2010102174.tif 000006
【図５】
2010102174.tif 000007
【図６】
2010102174.tif 000008